(57)【要約】【課題】  ロータリ耕耘機の後部カバーに着脱自在に備えられた着脱カバーの取付け・取外し作業を簡素化する。【解決手段】  後部カバー１７の主要部２１の下端側に着脱自在に設けられた着脱カバー２２に回動自在に取り付けられていて、回動させることにより主要部２１の側縁から左右方向外方に延出状とされた延長姿勢Ｂから前記着脱カバー２２の背面側に位置する退避姿勢Ｃへと姿勢変更可能な延長整地部２３を備え、この延長整地部２３を遠隔操作によって姿勢変更操作する操作ワイヤ２７を、操作部材２６によって操作されて延長整地部２３を姿勢変更させるインナーワイヤ２８と、このインナーワイヤ２８をガイドするアウターワイヤ２９とで構成し、アウターワイヤ２９の延長整地部２３側の端部を主要部２１に取り付け、インナーワイヤ２８の延長整地部２３側を着脱カバー２２側から取外し可能とする。【選択図】図３
2008178352.tif 000002
【特許請求の範囲】
【請求項１】
上端側が機枠（５）側に左右軸回りに回動自在に支持されると共に下端側が圃場に接地して整地するカバー部材（１７）を備え、このカバー部材（１７）は、該カバー部材（１７）の大部分を構成する主要部（２１）と、この主要部（２１）の下端側に着脱自在に設けられた着脱カバー（２２）と、この着脱カバー（２２）に回動自在に取り付けられていて回動させることにより主要部（２１）の側縁から左右方向外方に延出状とされた延長姿勢（Ｂ）から前記着脱カバー（２２）の背面側に位置する退避姿勢（Ｃ）へと姿勢変更可能な延長整地部（２３）とを備え、この延長整地部（２３）を遠隔操作によって姿勢変更操作する操作ワイヤ（２７）を備え、この操作ワイヤ（２７）を、操作部材（２６）によって操作されて延長整地部（２３）を姿勢変更させるインナーワイヤ（２８）と、このインナーワイヤ（２８）をガイドするアウターワイヤ（２９）とで構成し、アウターワイヤ（２９）の延長整地部（２３）側の端部を主要部（２１）に取り付け、インナーワイヤ（２８）の延長整地部（２３）側を着脱カバー（２２）側から取外し可能としたことを特徴とする作業機。
【請求項２】
インナーワイヤ（２８）の延長整地部（２３）側の端部（５７）は連結手段（４４）を介して連結ワイヤ（５１）の一端（５１）側に連結され、この連結ワイヤ（５１）の他端側はインナーワイヤ（２８）の動きに連動して延長整地部（２３）が姿勢変更するように延長整地部（２３）側に連動連結され、連結手段（４４）は連結ワイヤ（５１）の一端（５６）又はインナーワイヤ（２８）の延長整地部（２３）側の端部（５７）の一方に設けられた連結部材（５４）と他方に設けられた被連結部材（５５）とから構成され、被連結部材（５５）は連結部材（５４）に対して、インナーワイヤ（２８）に張りを与えることにより連結状態が維持され且つインナーワイヤ（２８）を緩めることにより連結状態が解除できるよう構成されていることを特徴とする請求項１に記載の作業機。
【請求項３】
連結部材（５４）に係止孔（５８）を形成すると共に被連結部材（５５）に係合部（５９）を設け、被連結部材（５５）はインナーワイヤ（２８）を緩めた状態で前記係止孔（５８）に挿脱自在に挿通可能とされ、前記係止孔（５８）に被連結部材（５５）を挿通し且つインナーワイヤ（２８）に張りを与えた状態において前記係止孔（５８）の縁部に係合部（５９）が係合することにより被連結部材（５５）の連結部材（５４）からの離脱が阻止されるよう構成されていることを特徴とする請求項２に記載の作業機。
【発明の詳細な説明】
【技術分野】
【０００１】
本発明は、ロータリ耕耘機、代掻きハロー等の耕耘整地機能を備えた作業機に関するものである。
【背景技術】
【０００２】
従来、耕耘整地機能を有する作業機としてロータリ耕耘機があり、該ロータリ耕耘機は、トラクタの後部に三点リンク機等の装着装置を介して昇降自在に装着される機枠と、この機枠の下部に左右方向の軸心回りに回転自在に設けられた爪軸に多数の耕耘爪を取り付けてなる耕耘部と、この耕耘部を覆う耕耘カバーとを備えている。
前記耕耘カバーは、耕耘部の上方を覆う上部カバーと、耕耘部の後方を覆う後部カバーとを備え、上部カバーは機枠に固定されており、後部カバーは上端側が上部カバーの後端側に左右軸回りに回動自在に支持されていると共に下端側が圃場に接地して整地する。
【０００３】
また、後部カバーとして、後部カバーの大部分を構成する主要部と、この主要部の下端側に着脱自在に設けられた着脱カバーと、この着脱カバーに回動自在に取り付けられていて回動させることにより主要部の側縁から左右方向外方に延出状とされた延長姿勢から前記着脱カバーの背面側に位置する退避姿勢へと姿勢変更可能な延長整地部とを備えているものがある。
また、前記延長整地部を遠隔操作によって姿勢変更操作する操作ワイヤを備え、この操作ワイヤを、操作レバーによって操作されて延長整地部を姿勢変更するインナーワイヤと、このインナーワイヤをガイドするアウターワイヤとで構成してなるロータリ耕耘機がある（特許文献１，２参照）。
【特許文献１】特開２００５−１３０８２４号公報
【特許文献２】特開２００２−２４５３２５号公報
【発明の開示】
【発明が解決しようとする課題】
【０００４】
前記従来のロータリ耕耘機にあっては、アウターワイヤの延長整地部側の端部とインナーワイヤの延長整地部側の端部とが着脱カバー側に取り付けられているので、着脱カバーを主要部から取り外すときに、アウターワイヤの延長整地部側の端部とインナーワイヤの延長整地部側の端部とを着脱カバー側から取り外さなければならず、着脱カバーの取付け・取外し作業が煩雑であるという問題がある。
そこで、本発明は、前記問題点に鑑みて、着脱カバーの取付け・取外し作業を簡素化することができる作業機を提供することを目的とする。
【課題を解決するための手段】
【０００５】
前記技術的課題を解決するために本発明が講じた技術的手段は、上端側が機枠側に左右軸回りに回動自在に支持されると共に下端側が圃場に接地して整地するカバー部材を備え、このカバー部材は、該カバー部材の大部分を構成する主要部と、この主要部の下端側に着脱自在に設けられた着脱カバーと、この着脱カバーに回動自在に取り付けられていて回動させることにより主要部の側縁から左右方向外方に延出状とされた延長姿勢から前記着脱カバーの背面側に位置する退避姿勢へと姿勢変更可能な延長整地部とを備え、この延長整地部を遠隔操作によって姿勢変更操作する操作ワイヤを備え、この操作ワイヤを、操作部材によって操作されて延長整地部を姿勢変更させるインナーワイヤと、このインナーワイヤをガイドするアウターワイヤとで構成し、アウターワイヤの延長整地部側の端部を主要部に取り付け、インナーワイヤの延長整地部側を着脱カバー側から取外し可能としたことを特徴とする。
【０００６】
また、インナーワイヤの延長整地部側の端部は連結手段を介して連結ワイヤの一端側に連結され、この連結ワイヤの他端側はインナーワイヤの動きに連動して延長整地部が姿勢変更するように延長整地部側に連動連結され、連結手段は連結ワイヤの一端又はインナーワイヤの延長整地部側の端部の一方に設けられた連結部材と他方に設けられた被連結部材とから構成され、被連結部材は連結部材に対して、インナーワイヤに張りを与えることにより連結状態が維持され且つインナーワイヤを緩めることにより連結状態が解除できるよう構成されているのがよい。
【０００７】
また、連結部材に係止孔を形成すると共に被連結部材に係合部を設け、被連結部材はインナーワイヤを緩めた状態で前記係止孔に挿脱自在に挿通可能とされ、前記係止孔に被連結部材を挿通し且つインナーワイヤに張りを与えた状態において前記係止孔の縁部に係合部が係合することにより被連結部材の連結部材からの離脱が阻止されるよう構成するのがよい。
【発明の効果】
【０００８】
本発明によれば、着脱カバーを主要部から取付け・取外しする場合、操作ワイヤのインナーワイヤの延長整地部側だけを着脱すればよく、着脱カバーの取付け・取外し作業を簡素化することができる。
【発明を実施するための最良の形態】
【０００９】
以下、本発明の実施の形態を図面を参照して説明する。
図６において、１はトラクタの後部に三点リンク機構等を介して昇降自在に装着される作業機として例示するロータリ耕耘機である。
このロータリ耕耘機１は、中央のギヤケースから左右にサポートアーム３を突設し、一方のサポートアーム３の左右方向外端側に伝動ケース４の上部を固定すると共に、他方のサポートアーム３の左右方向外端側にサイドフレームの上部を固定して門型に主構成された機枠５を有する。
【００１０】
この機枠５のギヤケースにはトップマスト６が上方突出状に固定され、このトップマスト６には上連結ブラケット７が前上方突出状に設けられ、この上連結ブラケット７の上端側には、三点リンク機構のトップリンクの後端側に取り付けられる又は三点リンク機構の後端側に連結される連結枠の上部に設けたフック部に係合する上取付ピン８が設けられている。
また、機枠５の左右各サポートアーム３には下連結ブラケット９が設けられ、この下連結ブラケット９の前端側には、三点リンク機構のロワーリンクの後端側又は三点リンク機構の後端側に連結される連結枠の下部に取り付けられる下取付ピン１０が設けられている。
【００１１】
また、機枠５の下部には、伝動ケース４とサイドフレームとの下部間に左右方向の軸心廻りに回動自在に支持された爪軸１１と、この爪軸１１に取り付けられた多数の耕耘爪１２とを備えてなる耕耘部１３が設けられている。
なお、機枠５のギヤケースには、トラクタのＰＴＯ軸からドライブシャフトを介して動力が伝達されるＰＩＣ軸１４が設けられ、このＰＩＣ軸１４に伝達された動力は、ギヤケース内の動力伝達機構、サポートアーム３内の伝動軸、伝動ケース４内の動力伝達機構を経て爪軸１１に伝達されて、該爪軸１１が、例えば、矢示Ａ方向に回転駆動されるように構成されている。
【００１２】
このロータリ耕耘機１には、前記耕耘部１３を覆う耕耘カバー１５が設けられており、この耕耘カバー１５は、耕耘部１３の上方を覆う上部カバー１６と、耕耘部１３の後方を覆う後部カバー１７（カバー部材）と、耕耘部１３の後部の左右両側を覆う側部カバー１８とを備えている。
上部カバー１６は、その左右方向の端部が、伝動ケース４とサイドフレームとに取付固定されている。
後部カバー１７は、上端側が上部カバー１６の後端側（機枠５側）に、左右方向の軸心を有する枢軸１９の軸心回りに回動自在に枢支されていて、上下揺動自在に支持されており、下端側は圃場に接地して該圃場を整地する。
【００１３】
また、後部カバー１７の背面の左右両側には、後部カバー１７の上部側から下部側にわたって補強部材２０が設けられている。
側部カバー１８は、伝動ケース４又はサイドフレーム等に取付固定されている。
なお、ロータリ耕耘機１には、後部カバー１７の下端側を下方側（接地方向）に付勢する弾下装置が設けられると共に、ゲージ輪や培土器，畝立器等を取り付けるための支持フレーム等が設けられる。
本実施の形態にあっては、図４に示すように、前記後部カバー１７は、該後部カバー１７の大部分を構成し主として耕耘部１３から放てきされた土を受ける部分である主要部２１と、この主要部２１の下端側の左右両端側で且つ前記補強部材２０の左右方向外方側に形成された切欠部４９を塞ぐ左右一対の閉鎖カバー２２（着脱カバー）と、この左右各閉鎖カバー２２に設けられた延長整地部２３とから主構成されている。
【００１４】
図７に示すように、この後部カバー１７の主要部２１及び閉鎖カバー２２の下端側、並びに延長整地部２３は、その背面側が後方に向けて開放状となる溝状に形成されている（正面側に向けて凸となる湾曲状とされている）。
この後部カバー１７の主要部２１及び閉鎖カバー２２の下端側正面、並びに延長整地部２３の正面は、耕耘部１３で耕耘された土壌を整地すべく接地する。
本実施の形態では、主要部２１下端側の接地部分と、閉鎖カバー２２下端側の接地部分とから、後部カバー１７の主要部２１の左右幅に相当する主整地部２４が構成され、この主整地部２４と前記延長整地部２３とから後部カバー１７の整地部２５が構成されている。
【００１５】
前記延長整地部２３は、図３，図４に示すように、主整地部２４（主要部２１の側縁）から左右方向外方に延出状とされた延長姿勢Ｂと、主整地部２４の背面側（反接地側）に位置する退避姿勢Ｃとに姿勢変更可能として主整地部２４に回動自在に支持されている（本実施の形態では、延長整地部２３は、閉鎖カバー２２に取り付けられていて該閉鎖カバー２２の下部側から左右方向外方に延出状とされて延長姿勢Ｂとされている）。
この延長整地部２３は、延長姿勢Ｂにおいて、その左右方向内端側が閉鎖カバー２２下部の左右方向外端側に突き合わせ状に接当しており、退避姿勢Ｃでは、閉鎖カバー２２に重ね合わされるように位置している。
【００１６】
また、左右の各延長整地部２３は、前記トップマスト６に左右軸回りに揺動操作自在に支持された操作レバー（操作部材）２６に操作ワイヤ２７等を介して連動連結されており、この操作レバー２６の揺動操作によって左右の延長整地部２３が延長姿勢Ｂと退避姿勢Ｃとに同時に姿勢変更操作可能とされている。
この操作レバー２６はロータリ耕耘機１を上昇させることによりトラクタの運転席側から把持可能とされており、これによって、延長整地部２３がトラクタの運転席から遠隔操作可能とされている。
【００１７】
操作ワイヤ２７は、ボーデンワイヤ、プッシュプルワイヤ等からなり、インナーワイヤ２８と、該インナーワイヤ２８をガイドするアウターワイヤ２９とから主構成され、インナーワイヤ２８の一端５７側は連結ワイヤ５１を介して該インナーワイヤ２８の動きに連動して延長整地部２３が姿勢変更するように延長整地部２３側（延長整地部２３を姿勢変更操作する部材）に連動連結されている。
また、インナーワイヤ２８の他端側は操作レバー２６側に連結され、アウターワイヤ２９の一端側は後部カバー１７背面の前記補強部材２０の下端側（主要部２１側）に設けられたアウター受け３０に取付固定され、アウターワイヤ２９の他端側はトップマスト６に設けられたアウター取付ブラケット３１に左右軸回りに回動自在に取付支持されており、操作レバー２６によってインナーワイヤ２８が操作されることで延長整地部２３が姿勢変更操作可能とされている。
【００１８】
本実施の形態では、前記操作レバー２６が、図６において実線で示す退避操作位置Ｄに位置しているときには延長整地部２３が退避姿勢Ｃとされ、該操作レバー２６を、退避操作位置Ｄから図６において仮想線で示す延長操作位置Ｅまで揺動操作することにより、延長整地部２３が退避姿勢Ｃから延長姿勢Ｂへと姿勢変更操作され、また、操作レバー２６を延長操作位置Ｅから退避操作位置Ｄに戻すと延長整地部２３が延長姿勢Ｂから退避姿勢Ｃへと姿勢変更操作されるように構成されている。
また、操作レバー２６は、アウター取付ブラケット３１に接当することにより延長操作位置Ｅから退避操作位置Ｄへと揺動する方向の移動が規制されて、延長整地部２３が退避姿勢Ｃに保持され、操作レバー２６を延長操作位置Ｅにてトップマスト６に設けられた止め金具３２に引っ掛けることにより、延長操作位置Ｅから退避操作位置Ｄへと揺動させる方向の移動が規制されて、延長整地部２３が延長姿勢Ｂに保持されるように構成されている。
【００１９】
次に、前記延長整地部２３の取付構造について詳細に説明する。
図１〜図５に示すように、閉鎖カバー２２の背面の左右方向外方側には固定ブラケット３６が固着されている。
この固定ブラケット３６は、板材を折曲してなり、閉鎖カバー２２の背面側に固着された底壁３６ａと、この底壁３６ａの上下縁部から後方に延出された一対の支持壁３６ｂとを有し、一対の支持壁３６ｂはその板面が左右方向に沿っていると共に対向配置されている。
【００２０】
この固定ブラケット３６には支持壁３６ｂの板面に直交する方向の軸心を有する回動支軸３７が上下の支持壁３６ｂにわたって設けられ、この回動支軸３７を介して揺動ブラケット３８が固定ブラケット３６に該回動支軸３７の軸心回りに回動自在に支持されている。
この揺動ブラケット３８に延長整地部２３を固定することにより該延長整地部２３が閉鎖カバー２２（主整地部２４）に回動支軸３７の軸心回りに回動自在に支持され、回動支軸３７の軸心回りに延長整地部２３を回動することにより該延長整地部２３が延長姿勢Ｂと退避姿勢Ｃとに姿勢変更自在とされている。
【００２１】
揺動ブラケット３８は、板材を折曲してなり、固定ブラケット３６の各支持壁３６ｂの対向側に位置する上下一対のアーム部３８ａを有し、この上下アーム部３８ａは、固定ブラケット３６の支持壁３６ｂから左右方向外方に延出された後に延長整地部２３へと延出するように屈曲形成されている。
また、揺動ブラケット３８は、延長整地部２３の背面の左右方向内端側に固着され且つ上下アーム部３８ａを連結する固定壁３８ｂを有する。
揺動ブラケット３８のアーム部３８ａ間には、前記回動支軸３７に軸心回りに回動自在に外嵌された回動軸３９が設けられており、この回動軸３９の軸心方向中間部には該回動軸３９の軸心に直交する板面を有する板材からなる押動部材４０が固着されている。
【００２２】
この押動部材４０は、揺動ブラケット３８の固定壁３８ｂに接当する押圧部４０ａを有しており、該押動部材４０が回動支軸３７の軸心回りに回動操作されることにより、揺動ブラケット３８を介して延長整地部２３が押圧されて該延長整地部２３が延長姿勢Ｂから退避姿勢Ｃに姿勢変更される。
また、この押動部材４０の回動軸心方向一側（上側）には、延長整地部２３を延長姿勢Ｂから退避姿勢Ｃ側に回動させるように押動部材４０を付勢する退避操作バネ（退避操作用付勢手段）４１が配置されている。
【００２３】
この退避操作バネ４１は、ねじりコイルバネからなり回動軸３９に套嵌され、一端が押動部材４０に掛止され、他端が固定ブラケット３６の支持壁３６ｂに掛止されている。
図１〜５及び図８に示すように、前記インナーワイヤ２８の延長整地部２３側の端部５７は連結手段４４を介して連結ワイヤ５１の一端５６側に着脱自在に連結され、連結ワイヤ５１の他端側はインナーワイヤ２８の動きに連動して延長整地部２３が姿勢変更するように押動部材４０に連動連結されている。
具体的には、連結ワイヤ５１の他端側に連結具４２が接続され、この連結具４２の連結ワイヤ５１の接続側とは反対側にはピン挿通孔５０が貫通形成されており、また、押動部材４０の下側の面には、ピン４６が回動軸３９の軸心と平行状に突設されており、このピン４６を連結具４２のピン挿通孔５０に対して軸心回りに回動自在に相対的に挿通させることで、連結ワイヤ５１の他端側が押動部材４０に枢支連結されている。
【００２４】
また、ベータピン等の抜止め部材（図示省略）によってピン挿通孔５０からのピン４６の抜止めをすることにより、ピン４６に対する連結具４２の外れ止めがなされている。
前記連結手段４４は連結ワイヤ５１の一端に設けられた連結部材５４と、インナーワイヤ２８の延長整地部２３側の端部５７に設けられた被連結部材５５とから構成されている。
連結部材５４のインナーワイヤ長さ方向Ｄ（以下単にワイヤ長さ方向という）の一端側部分５４ａには、連結ワイヤ５１の一端５６が接続されている。
【００２５】
また、連結部材５４は、ワイヤ長さ方向Ｄの他端側部分５４ｂの肉厚が一端側部分５４ａの肉厚よりも薄くなるようにワイヤ長さ方向Ｄ中間部で段付き状に形成されており、連結部材５４の他端側部分５４ｂには係止孔５８が肉厚方向Ｅに貫通状に形成されている。
被連結部材５５のワイヤ長さ方向Ｄの一端側部分５５ａは連結部材５４の一端側部分５４ａの厚さ方向Ｅの一側面に接当しており、被連結部材５５のワイヤ長さ方向Ｄの中間部分５５ｃは連結部材５５の係止孔５８を貫通するように挿通しており、被連結部材５５のワイヤ長さ方向Ｄの他端側部分５５ｂは、連結部材５４の厚さ方向Ｅの他側面がわに配置されていると共に、一端側部分５５ａの中間部分５５ｃからの延出方向とは逆の方向に延出されている。
【００２６】
また、被連結部材５５の他端側部分５５ｂにはインナーワイヤ２８の延長整地部２３側の端部５７が接続されている。
また、被連結部材５５の一端側部分５５ａと他端側部分５５ｂとはワイヤ長さ方向Ｄに関して離間しており、中間部分５５ｃは一端側部分５５ａ及び他端側部分５５ｂに対して傾斜状に形成されていて、該中間部分は５５ｃは係止孔５８の軸心方向に交差するように係止孔５８に挿通されている。
前記構成の連結手段４４にあっては、被連結部材５５が連結部材５４の係止孔５８に挿通され且つインナーワイヤ２８及び連結ワイヤ５１に張りが与えられている状態（インナーワイヤ２８及び連結ワイヤ５１が長さ方向Ｄに緊張されている状態）では、被連結部材５５の中間部分５５ｃの他端側部分５５ｂとの接続側が係止孔５８の縁部に接当していると共に被連結部材５５の一端側部分５５ａが連結部材５４の一端側部分５４ａの厚さ方向Ｅの一側面に接当していることにより、被連結部材５５の係止孔５８からの抜止めがなされ、連結手段４４の連結状態が維持される。
【００２７】
前記被連結部材５５の中間部分５５ｃの係止孔５８の縁部との接当部分５９が、インナーワイヤ２８に張りを与えた状態において係止孔５８の縁部に係合して被連結部材５５の連結部材５４からの離脱を阻止する係合部とされている。
また、インナーワイヤ２８が緩んでいる状態では、図９に示すように、被連結部材５５の他端側部分５５ｂを連結ワイヤ５１側に移動させながら該被連結部材５５を他端側部分５５ｂ配置側に移動させることにより、被連結部材５５を連結部材５４の係止孔５８から抜脱することができるように構成されており、工具を使うことなく簡単に連結手段４４の連結・解除が行えるように構成されている。
【００２８】
なお、連結部材５４をインナーワイヤ２８の延長整地部２３側の端部５７に接続し、被連結部材５５を連結ワイヤ５１の一端５６側に接続するようにしてもよい。
また、前記インナーワイヤ２８の延長整地部２３側の構成を換言すれば、インナーワイヤ２８の延長整地部２３側の端部が連結具４２とピン４６とを介して押動部材４０に枢支連結され、インナーワイヤ２８の延長整地部２３側は該インナーワイヤ２８の延長整地部２８側の端部とアウターワイヤ２９の延長整地部２３側の端部との間の中途部で分断され、このインナーワイヤ２８の分断部分の一方に連結部材５４が設けられていると共に他方に前記連結部材５４に着脱自在に連結された被連結部材５５が設けられているともいえる。
【００２９】
前記押動部材４０は、延長整地部２３を退避姿勢Ｃとするときには、前記退避操作バネ４１によって回動操作され、且つ、延長整地部２３を延長姿勢Ｂとするときには前記インナーワイヤ２８によって回動操作されるように構成されている。
また、押動部材４０の回動軸心方向他側面（下側面）には、インナーワイヤ２８をガイドするワイヤガイド４３が設けられ、このワイヤガイド４３は、両端部分を除く大部分が回動支軸３７の軸心を中心とする円弧状に形成されている。
図１，図３に示すように延長整地部２３が延長姿勢Ｂとされている状態では、ワイヤガイド４３は回動支軸３７の左右方向内方側に位置しており、インナーワイヤ２８の一端側は、ワイヤガイド４３と主整地部２４との間を通って回動支軸３７（押動部材４０の回動支点）と主整地部２４との間で押動部材４０に連結されており、この状態で操作レバー２６が延長操作位置Ｅから退避操作位置Ｄへと揺動操作されると、退避操作バネ４１の付勢力によって押動部材４０が回動支軸３７の軸心回りに回動し、これに伴って押圧部４０ａによって揺動ブラケット３８が押圧されることにより、延長整地部２３が退避姿勢Ｃへと姿勢変更操作される（揺動ブラケット３８を介して延長整地部２３が押動部材４０によって押動されて退避姿勢Ｃへと姿勢変更操作される）。
【００３０】
このときインナーワイヤ２８は押動部材４０の回動に伴ってワイヤガイド４３に巻き掛けられながら回動支軸３７回りに移動する。
本実施形態にあっては、延長姿勢Ｂにおいて、延長整地部２３を圃場に押しつける方向に付勢する延長整地部抑え用付勢手段としての抑えバネ４５が押動部材４０と延長整地部２３とにわたって設けられている。
この抑えバネ４５は、引張りコイルバネからなり、一端側が押動部材４０のバネ掛け部４７に掛止され、他端側が延長整地部２３に固定されたバネ掛け部材４８に掛止されている。
【００３１】
この抑えバネ４５の一端側は押圧部４０ａと回動支軸３７との間に掛止されていて、延長整地部２３を押動部材４０側に（揺動ブラケット３８の固定壁３８ｂを押動部材４０の押圧部４０ａに）押しつけるように該延長整地部２３を付勢している。
前記延長整地部２３を退避姿勢Ｃから延長姿勢Ｂへと姿勢変更させる際にあっては、操作レバーを２６を退避操作位置Ｄから延長操作位置Ｅに揺動操作してインナーワイヤ２８を引動操作することにより延長整地部２３が延長姿勢Ｂへと回動する方向に押動部材４０が回動し、このとき延長整地部２３が押動部材４０側に押しつけられるように抑えバネ４５によって付勢されていることから、延長整地部２３が押動部材４０に追従して延長姿勢Ｂへと回動する。
【００３２】
なお、延長整地部２３が延長姿勢Ｂにあるときにおいて、延長整地部２３が土からの過大な荷重によって突き上げられた場合は、揺動ブラケット３８の固定壁３８ｂが押圧部４０ａから離反して抑えバネ４５の付勢力に抗して延長整地部２３が回動する。
前記後部カバー１７の主要部２１の下端側左右両側に形成された切欠部４９はロータリ耕耘機１に片培土器を取り付けたときに該片培土器との干渉を避けるためのものであり、閉鎖カバー２２はロータリ耕耘機１に片培土器を取り付けるときに取り外される。
図７に示すように、後部カバー１７の主要部２１の下端側は、湾曲状に折り返されて左右方向の軸心を有する筒状に形成され、閉鎖カバー２２の背面下端側には左右方向の軸心を有するパイプ、ロッド等からなる差込み部材３３が固着され、この差込み部材３３は閉鎖カバー２２から左右方向内方側に突出状とされていて、該突出部分が主要部２１下端の筒部３４に抜差し自在に挿入されている。
【００３３】
また、閉鎖カバー２２の少なくとも上部側は図示省略の取付手段によって主要部２１に着脱自在に取り付けられている。
したがって、閉鎖カバー２２の上部側を主要部２１に取り付ける前記取付手段による取り付けを解除し、その後、閉鎖カバー２２の差込み部材３３を主要部２１下端の筒部３４から抜脱することにより閉鎖カバー２２を主要部２１から取り外すことができる。
閉鎖カバー２２を取り外すときには、操作ワイヤ２７の延長整地部２３側を閉鎖カバー２２側から取り外さなければならないが、本実施の形態にあっては、アウターワイヤ２９の延長整地部２３側の端部が主要部２１に設けられたアウター受け３０に取り付けられていて、操作ワイヤ２７の延長整地部２３側はインナーワイヤ２８だけが閉鎖カバー２２側に連結されているので、閉鎖カバー２２を取り外す際又は取り付ける際には、アウターワイヤ２９の延長整地部２３側の端部を着脱しなくてもよく、インナーワイヤ２８の延長整地部２３側だけを閉鎖カバー２２側から取り外せばよい又は閉鎖カバー２２側に取り付ければよいように構成されており、閉鎖カバーの取外し作業及び取付け作業の簡素化が図られている。
【００３４】
本実施の形態において、インナーワイヤ２８の延長整地部２３側を閉鎖カバー２２側から取り外す又は閉鎖カバー２２側に取り付けるには、操作レバー２６を退避操作位置Ｄへ操作して延長整地部２３を退避姿勢Ｃとし、この状態において、操作レバー２６を操作せずに延長整地部２３を人手によって延長姿勢Ｂ側に回動操作する。
すると、インナーワイヤ２８が緩むので、前述した要領で連結手段４４の連結部材５４と被連結部材５５との連結を解除する又は連結部材５４と被連結部材５５とを連結することができる。
【００３５】
なお、本実施の形態において、インナーワイヤ２８の延長整地部２３側の端部５７に押動部材４０のピン４６に枢支連結される連結具４２を接続して、インナーワイヤ２８の延長整地部２３側の端部５７側を直接押動部材４０に枢支連結し、インナーワイヤ２８の延長整地部２３側を閉鎖カバー２２側から取り外す際において、連結具４２をピン４６から取り外すようにしてもよい。
図１０に示すように、従来の延長整地部２３の取付構造にあっては、延長整地部２３は捩りコイルバネ５２の付勢力によって常に延長姿勢Ｂへと回動する方向に付勢され、インナーワイヤ２８の一端側は、延長整地部２３を回動自在に支持する回動支軸３７回りに回動自在なワイヤガイド５３に枢支連結されていると共に、該インナーワイヤ２８の一端側を枢支するピン４６が揺動ブラケット３８に接当しており、延長整地部２３が延長姿勢Ｂである状態のときにインナーワイヤ２８を引動操作すると、インナーワイヤ２８の一端側を枢支するピン４６によって揺動ブラケット３８が押圧され、捩りコイルバネ５２の付勢力に抗して延長整地部２３が延長姿勢Ｂから退避姿勢Ｃへと回動支軸３７回りに回動するように構成されており、延長整地部２３を延長姿勢Ｂから退避姿勢Ｃへと回動させるにつれて延長整地部２３を付勢する捩りコイルバネ５２の付勢力が徐々に大きくなり、延長整地部２３を延長姿勢Ｂと退避姿勢Ｃとに切り換える際の操作力（この場合は延長整地部２３を延長姿勢Ｂから退避姿勢Ｃへと姿勢変更させる際の操作力）が大である。
【００３６】
これに対して本実施形態にあっては、延長整地部２３を延長姿勢Ｂから退避姿勢Ｃ側に回動させるのは退避操作バネ４１の付勢力によって行われ、延長整地部２３を圃場に押しつけるのは抑えバネ４５の付勢力によって行われることから、延長整地部２３を圃場に押しつける付勢力を十分に大きく採っても、延長整地部２３を退避姿勢Ｃに回動させるための付勢力は必要最小限の付勢力にできるため、延長整地部２３を延長姿勢Ｂと退避姿勢Ｃとに切り換える際の操作力（この場合は延長整地部２３を退避姿勢Ｃから延長姿勢Ｂへと姿勢変更させる際の操作力）の低減を図ることができる。
【００３７】
また、図１０に示す従来のものにあっては、インナーワイヤ２８を引動操作することにより延長整地部２３が延長姿勢Ｂから退避姿勢Ｃへと姿勢変更操作されるものであることから、インナーワイヤ２８の一端側は延長整地部２３が退避姿勢Ｃとされている状態で回動支軸３７と延長整地部２３との間でワイヤガイド５３に枢支連結され、インナーワイヤ２８の操作力を解除することにより、延長整地部２３が捩りコイルバネ５２の付勢力により回動支軸３７回りに延長姿勢Ｂへと回動し、一方インナーワイヤ２８はワイヤガイド５３に巻き掛けられながら押動部材４０の回動に伴って回動支軸３７回りに移動するように構成されている。
【００３８】
この構造から、従来のものにあっては、延長整地部２３との干渉を避けるために、図１０に示すように、延長整地部２３の取付部分の近傍において操作ワイヤ２７を直線状に配設することができず、アウターワイヤ２９の一端側を固定するアウター受け３０の近傍において操作ワイヤ２７を湾曲状に屈曲させなければならず、この操作ワイヤ２７の該湾曲部分においてアウターワイヤ２９に対するインナーワイヤ２８の摺動抵抗が大きくなり、これによって操作力が増大するという問題がある。
これに対して本実施の形態では、延長整地部２３が退避姿勢Ｃにある状態でインナーワイヤ２８を引動操作することにより延長整地部２３が退避姿勢Ｃから延長姿勢Ｂへと姿勢変更操作されるものであり、インナーワイヤ２８の一端側は、延長整地部２３が延長姿勢Ｂとされている状態で回動支軸３７と主整地部２４との間で押動部材４０に連結され、インナーワイヤ２８の操作力を解除することにより、延長整地部２３が退避操作バネ４１の付勢力により退避姿勢Ｃへと回動し、一方インナーワイヤ２８はワイヤガイド５３に巻き掛けられながら押動部材４０の回動に伴って回動支軸３７回りに移動するように構成されている。
【００３９】
この構成から、本実施の形態では、図３に示すように、操作ワイヤ２７は延長整地部２３の取付部分の近傍において操作ワイヤ２７を直線状に配設することができ、従来のような操作ワイヤ２７が屈曲することによる操作力の増大を防止することができる。
前記従来のものにおいて、本実施形態と同様の部材は同様の符号を付して説明を省略する。
なお、本発明は、図１０に示す従来構造のロータリ耕耘機の延長整地部２３の取付構造のもの（延長整地部２３を延長姿勢Ｂ側に回動させるように付勢し、インナーワイヤ２８によって退避姿勢Ｃに姿勢変更操作するようにしたもの）に採用してもよい。
【００４０】
この従来構造の延長整地部２３の取付構造に本発明を採用した場合にあっては、延長整地部２３を延長姿勢Ｂにした状態から該延長整地部２３を退避姿勢Ｃ側に回動させることにより、インナーワイヤ２８が緩み、インナーワイヤ２８の延長整地部２３側を閉鎖カバー側から取り外すことができる。
また、ロータリ耕耘機１として、サイドドライブ式のロータリ耕耘機１を例示したが、センタドライブ式のロータリ耕耘機１等を採用してもよく、また、本発明が採用される作業機としては代掻きハローであってもよい。
【００４１】
また、後部カバー１７の形式としては、主要部２１の左右幅に略相当する左右幅に形成された整地カバー（着脱カバー）を主要部２１の下端側に着脱自在に取り付け、この整地カバーの左右両側に前記延長整地部２３を姿勢変更自在に取り付けた形式のものであってもよい。
【図面の簡単な説明】
【００４２】
【図１】延長姿勢における延長整地部の取付部分を下側からみた断面図である。
【図２】退避姿勢における延長整地部の取付部分を下側からみた断面図である。
【図３】リヤカバーの下端側の左側を下側からみた図である。
【図４】リヤカバーの左側の背面図である。
【図５】延長整地部の取付部分の背面図である。
【図６】ロータリ耕耘機の側面図である。
【図７】リヤカバーの主要部と閉鎖カバーと延長整地部との分解側面図である。
【図８】インナーワイヤの延長整地部側の連結部分を示す図であって、（ａ）は連結状態における連結手段を下側からみた図であり、（ｂ）は連結状態における連結手段を背面側から見た断面図である。
【図９】インナーワイヤの連結手段の解除動作を示す断面図である。
【図１０】従来の延長整地部の取付構造を示す概略図である。
【符号の説明】
【００４３】
５    機枠
１７    後部カバー（カバー部材）
２１    主要部
２２    閉鎖カバー（着脱カバー）
２３    延長整地部
２６    操作レバー（操作部材）
２７    操作ワイヤ
２８    インナーワイヤ
２９    アウターワイヤ
４４    連結手段
５１    連結ワイヤ
５４    連結部材
５５    被連結部材
５６    連結ワイヤの一端
５７    インナーワイヤの延長整地部側の端部
５８    係止孔
５９    係合部
Ｂ    延長姿勢
Ｃ    退避姿勢
【図１】
2008178352.tif 000003
【図２】
2008178352.tif 000004
【図３】
2008178352.tif 000005
【図４】
2008178352.tif 000006
【図５】
2008178352.tif 000007
【図６】
2008178352.tif 000008
【図７】
2008178352.tif 000009
【図８】
2008178352.tif 000010
【図９】
2008178352.tif 000011
【図１０】
2008178352.tif 000012
【手続補正書】
【提出日】平成19年5月2日(2007.5.2)
【手続補正１】
【補正対象書類名】図面
【補正対象項目名】図６
【補正方法】変更
【補正の内容】
【図６】
2008178352.tif 000013